(57)【要約】      （修正有）【課題】マイク、ポインター、マウスの３つの機能により片手で操作が容易にできるマイクポインターマウスを提供する。【解決手段】マイクにポインター機能とマウス機能を持たせることで人差し指でポインターを動かし、残りの指でマイクを保持しながら他の指でスイッチを切り替えたり、クリックボタンを押す動作を行う構造にする。プログラムとＵＳＢディスプレーアダプターにより操作画面とスクリーン画面を別に設けることで利便性を高める。更に２台目のシステムでポインターを所定の位置に人差し指と腕を一直線にあわせ、そこから指の動きとマウスの動きを一時的に合わせることで文字を書くシーンをプロジェクターで一つのスクリーンに資料画像と文字やラインだけの画像を投影して２重に映すことで参加型の機能を持たせる。【選択図】図１
0003190628.tif 000002
【実用新案登録請求の範囲】
【請求項１】
マイクポインターマウスは、マイクの正面に電源・マイク・マウスポインターの切り替えスイッチと、
マウスボタンを配置した部分と、左側中央に格納式の人差し指用レーザーポインターアーム４０と先端に人差し指用レーザー
ポインター先端部４６からなる部分と、人差し指用レーザーポインターアームの付け根のマウスポインター機能として、
ポインターｙ軸稼動軸１９下部をポインターｙ軸稼動軸下部保持部４３で回転可能に保持した部分と、上部を回転可能に保持した
ポインターｙ軸稼動軸上部保持部４２部分と、ポインターｙ軸稼動軸１９下部に穴あきｙ軸ギア２８を設け、LED１６と光
センサー２２で挟むように配置した装置で穴あきｙ軸ギア２８の穴の数をカウントする部分と、ポインターｙ軸稼動軸１９の上部
先端に穴あきx軸ギアをセットする切れ込みを切削した部分の右側４分の１の位置に人差し指用レーザーポインターアーム４０
を固定したポインターバー固定ギア２７を回転可能に接続した部分と、ポインターｙ軸稼動軸１９の上部先端に穴あきx軸ギア
をセットする切れ込みを切削した部分の左側半分の位置に回転可能に接続した穴あきx軸ギア２５とポインターバー固定ギア２７
に噛み合うようにギア小２６を歯合した部分と、穴あきx軸ギア２５の端の穴に合わせ左先端部にLED１６、右先端部に光
センサー２２を設けた部分と、ポインターバー固定ギア２７と人差し指用レーザーポインターアーム４０の付け根付近に本体
格納のための折り畳み稼動部４１を設けた部分と、これを使用時に固定するためのレーザーポインターアームストッパー４５を
設けた部分と、ポインターx軸稼動軸１８である人差し指用レーザーポインターアーム４０の先端部に外側にレーザーモジュール
３９LED１６と、内側の窪んだ部分を設けた人差し指固定口１７からなる人差し指用レーザーポインター先端部４６部分と、
管理プログラム、これらすべてを有するマイクポインターマウスと管理プログラム（プレゼンターマスター）
【請求項２】
管理プログラムにはパソコン画面にフォームの下には資料画像とページ数を複数のページまでを表示し、その上右半分が資料画像表示部と、左半分が画像加工部になり、左端のライン・マーカ・文字・消しゴムのアイコンで資料を加工し、拡張モニターへは、USBディスプレーアダプターAを経由して加工画面や資料画面を切り替えてスクリーンに投影したりするプレゼンター用の操作画面と、上記マイクポインターマウスの人差し指用レーザーポインターをスクリーン右端中央の位置に設けたポインターセットマーク３３に目視で人差し指を合わせ、その位置で中指でクリックして、指先のポインターとポインタが一時的に連動してスクリーンとモニターの座標位置同じになり、ドラッグすることで文字やラインの開始位置を決めパソコン側のモニターの操作画面で文字の色やサイズをラインの太さや長さを決めたあり、マーカーの場合はその動きに合わせて手書き画像のみを拡張モニターへ、操作部を除いたモニター部だけがUSB]ディスプレイアダプターを経由してプロジェクターを通し上記プレゼンター用のスクリーン５に二重に映し出されるパーティシペーション用の操作画面からなる、これらすべての部分を特徴とする請求項１記載のマイクポインターマウスと管理プログラム（プレゼンターマスター）
【考案の詳細な説明】
【技術分野】
【０００１】
本考案は、マイクにポインターと、マウス機能を一つにまとめ、これをプログラムによりパソコン側（本体側）のモニターを操作する編集画面に使い、USBディスプレーアダプターを経由してプロジェクターには加工前の資料やライン文字を囲んだりした加工した画像を切り替えて映したり、２台目の上記システムでポインターを所定の位置に人差し指と腕を一直線にあわせ、そこから指の動きとマウスの動きを一時的に合わせることで文字を書くシーンをプロジェクターで一つのスクリーンに資料画像と文字やラインだけの画像を投影して２重に映すことで参加型の機能を持たせることで、利便性を高めたマイクポインターマウスと管理プログラム（プレゼンターマスター）に関するものである。
【背景技術】
【０００２】
最近ではポインターにマウス機能が付いたものが支流だ。
【０００３】
これにマイクが加わることにより、片手で３つ操れたら大変便利で更に他の用途として、カラオケなどでマイクとマウスモードで歌いながら人差し指で文字を書きプロジェクターで壁に投影したりすることで楽しさを演出するなどの多目的用途に適用できないか。
【先行技術文献】
【特許文献】
【０００４】
【特許文献１】なし
【非特許文献】
【０００５】
【非特許文献１】なし
【考案の概要】
【考案が解決しようとする課題】
【０００６】
従来のポインター付マウスではポイントにレーザーを当てた状態でマウスを操作するのはなかなか容易ではないし、他に資料やマイクなども苦労して扱う様子を度々見かけいます。
【課題を解決するための手段】
【０００７】
上記目的を達成するために、請求項１記載の構造は、マイクポインターマウスのマイクの正面に電源・マイク・マウスポインターの切り替えスイッチと、マウスボタンを配置した部分と、左側中央に格納式の人差し指用レーザーポインターアーム４０と先端に人差し指用レーザーポインター先端部４６からなる部分と、人差し指用レーザーポインターアームの付け根のマウスポインター機能として、ポインターｙ軸稼動軸１９下部をポインターｙ軸稼動軸下部保持部４３で回転可能に保持した部分と、上部を回転可能に保持したポインターｙ軸稼動軸上部保持部４２部分と、ポインターｙ軸稼動軸１９下部に穴あきｙ軸ギア２８を設け、LED１６と光センサー２２で挟むように配置した装置で穴あきｙ軸ギア２８の穴の数をカウントする部分と、ポインターｙ軸稼動軸１９の上部先端に穴あきx軸ギアをセットする切れ込みを切削した部分の右側４分の１の位置に人差し指用レーザーポインターアーム４０を固定したポインターバー固定ギア２７を回転可能に接続した部分と、ポインターｙ軸稼動軸１９の上部先端に穴あきx軸ギアをセットする切れ込みを切削した部分の左側半分の位置に回転可能に接続した穴あきx軸ギア２５とポインターバー固定ギア２７に噛み合うようにギア小２６を歯合した部分と、穴あきx軸ギア２５の端の穴に合わせ左先端部にLED１６、右先端部に光センサー２２を設けた部分と、ポインターバー固定ギア２７と人差し指用レーザーポインターアーム４０の付け根付近に本体格納のための折り畳み稼動部４１を設けた部分と、これを使用時に固定するためのレーザーポインターアームストッパー４５を設けた部分と、ポインターx軸稼動軸１８である人差し指用レーザーポインターアーム４０の先端部に外側にレーザーモジュール３９LED１６と、内側の窪んだ部分を設けた人差し指固定口１７からなる人差し指用レーザーポインター先端部４６部分と、管理プログラムからなる。
【０００８】
上記の管理プログラムにはパソコン画面にフォームの下には資料画像とページ数を複数のページまでを表示し、その上右半分が資料画像表示部と、左半分が画像加工部になり、左端のライン・マーカ・文字・消しゴムのアイコンで資料を加工し、拡張モニターへは、USBディスプレーアダプターAを経由して加工画面や資料画面を切り替えてスクリーンに投影したりするプレゼンター用の操作画面と、上記マイクポインターマウスの人差し指用レーザーポインターをスクリーン右端中央の位置に設けたポインターセットマーク３３に目視で人差し指を合わせ、その位置で中指でクリックして、指先のポインターとポインタが一時的に連動してスクリーンとモニターの座標位置同じになり、ドラッグすることで文字やラインの開始位置を決めパソコン側のモニターの操作画面で
文字の色やサイズをラインの太さや長さを決めたあり、マーカの場合はその動きに合わせて手書き画像のみを拡張モニターへ、操作部を除いたモニター部だけがUSB]ディスプレイアダプターを経由してプロジェクターを通し上記プレゼンター用のスクリーン５に二重に映し出されるパーティシペーション用の操作画面からなる。
【考案の効果】
【０００９】
マイク、ポインター、マウスの３つの機能により片手で操作が容易にでき、またプロジェクター、USBディスプレーアダプターと管理プログラムにより参加型の機能性や用途の違った使い方ができ市場も広がった。
【図面の簡単な説明】
【００１０】
【図１】マイクポインターマウスの斜視図
【図２】マイクポインターマウスの６面図
【図３】プレゼンターマスターのシステム接続図
【図４】プレゼンター用とパーティシペーション用と拡張モニター（スクリーン）のフォーム画像略図
【図５】マイク・ポインター・マウスの回路図
【図６】マイクポインターマウスの人差し指ポインターの付け根のマウスセンサー部構造図
【図７】管理プログラムのフローチャート
【図８】マイクポインターマウスのグリップ時の図
【考案を実施するための形態】
【００１１】
図１の概観の一例は、使用時の形状で人差し指用レーザーポインターアーム４０を立てた状態の図である。
【００１２】
図２の操作部の詳細一例は、マイクポインターマウス本体上部にマイク１０を格納し、下部には電池格納部する蓋からなり、右側面はフラットで、左側面には人差し指用レーザーポインターアーム４０を格納している。
【００１３】
図３の各種接続例は、パソコンA１にマウスUSB８とプロジェクターA ３に接続したUSBディスプレーアダプターA７を接続した状態でプレゼンター用もパーティシペーション用どちらも同じ接続である。
【００１４】
図５の回路一例図は、？？と電源、スイッチを経由して光ワイヤレス送信モジュールマイク用に結線した部分と、
電源、スイッチを経由してレーザーモジュールに結線した部分と、ワンチップマイコン２４にクリックボタンA１２とクリックボタンB１３とマウスポンター１４と穴あきx軸ギア２５にセットされた光センサー２２と穴あきｙ２８セットされた光センサー２２等からなるマウスモジュールに光ワイヤレス送信モジュールマウス用を接続した構造からなる。
【００１５】
図４は格フォームのイメージ図は、下部に資料画像を１０ページほど並べて表示し、選んだ画像を左右２つ表示させ、右側の画像は資料画像で、左側の画像は加工用の画像でフォーム左端にマーカー・ライン・文字・消しゴムのアイコンを並べた配置画面で、左右何れかの画像をUSBディスプレーアダプターA６を経由してスクリーン５に投影したりするプレゼンター用の操作画面２９と、左端にマーカー・ライン・文字・消しゴムのアイコンを並べスクリーン２重投影される合成用のマーカー・ライン・文字のみ画像をフォーム全体に表示し、USBディスプレーアダプターA６を経由して上記プレゼンター用スクリーン５に２重投影したりするパーティシペーション用がある。
【００１６】
図６の人差し指ポインターの付け根のマウスセンサー部構造一例図は、人差し指用レーザーポインターアームの付け根のマウスポインター機能として、ポインターｙ軸稼動軸１９下部をポインターｙ軸稼動軸下部保持部４３で回転可能に保持した部分と、上部を回転可能に保持したポインターｙ軸稼動軸上部保持部４２部分と、ポインターｙ軸稼動軸１９下部に穴あきｙ軸ギア２８を設け、LED１６と光センサー２２で挟むように配置した装置で穴あきｙ軸ギア２８の穴の数をカウントする部分と、ポインターｙ軸稼動軸１９の上部先端に穴あきx軸ギアをセットする切れ込みを切削した部分の右側４分の１の位置に人差し指用レーザーポインターアーム４０を固定したポインターバー固定ギア２７を回転可能に接続し、縦に反対側のポインターｙ軸稼動軸１９の上部先端に穴あきx軸ギアをセットする切れ込みを切削した部分の左側半分の位置に回転可能に接続した穴あきx軸ギア２５とポインターバー固定ギア２７にか似合うようにギア小２６を接続し、横に反対側の穴あきx軸ギア２５の端の穴に合わせ左先端部にLED１６、右先端部に光センサー２２を設けた部分と、ポインターバー固定ギア２７と人差し指用レーザーポインターアーム４０の付け根付近に本体格納のための折り畳み稼動部４１を設けた部分と、これを使用時に固定するためのレーザーポインターアームストッパー４５を設け、ポインターx軸稼動軸１８である人差し指用レーザーポインターアーム４０の先端部に外側にレーザーモジュール３９LED１６と、内側の窪んだ部分を設けた人差し指固定口１７からなる人差し指用レーザーポインター先端部４６部分からなる構造。
【００１７】
図７のフローチャート一例は、まずスタートから予め準備した資料ページ数読み込みプレゼンター用の操作画面２９とパーティシペーション用の操作画面３０選択のフォーム表示し、プレゼンター用フォーム表示の場合はフォーム表示下部より選択して左右同じ画面を表示し、右画像をスクリーンに表示し、左画像をマーカーで加工か、左画像に文字入力か、左画像に消しゴムで加工か、左画像にライン入力かにより加工処理した後、切り替えスクリーンに出力し、上記を繰り返すか作業終了時には終了処理、またパーティシペーション用フォーム表示の場合は、ポインターセットマーク表示し、一時的にスクリーンに当てたポインターのレーザーとパソコンのモニターの座標の位置を合わせて座標表示し、スクリーンにマーカー画像を表示か、スクリーンに文字のみ画像を表示か、スクリーンにラインのみ画像を表示か、画像をクリーン画像を表示かを切り替えスクリーンに出力し、上記を繰り返すか
作業終了時には終了処理
【００１８】
図８のグリップ時の図の一例は、  マイク１０部を上にして、掌にマイクポインターマウス本体９の背面部を置き、
右手親指にクリックボタンB１３付近に置き、人差し指固定口１７に人差し指の先端で保持し、残りの中指・薬指・小指でで本体下部を保持して使うもので、上記システムでポインターを所定の位置に人差し指と腕を一直線にであわせ、そこから指の動きとマウスの動きを一時的に合わせることで文字を書くシーンをプロジェクターで一つのスクリーンに資料画像と文字やラインだけの画像を投影して２重に映すことで参加型の機能を持たせる。
【産業上の利用可能性】
【００１９】
本発明に係るマイクポインターマウスと管理プログラム（プレゼンターマスター）は、会議などのプレゼンだけでなくカラオケなどでの楽しい演出などにも幅広く適用な可能性を有する。
【符号の説明】
【００２０】
１パソコンA２パソコンB３プロジェクターA４プロジェクターB５スクリーン６USBディスプレーアダプターA７USB
ディスプレーアダプターB８マウスUSB９マイクポインターマウス本体１０マイク１１切り替えスイッチ１２クリック
ボタンA１３クリックボタンB１４マウスポンター１５ポインターバー１６LED１７人差し指固定口１８ポインターx軸
稼動軸１９ポインターｙ軸稼動軸２０ポインターx軸稼動範囲２１ポインターｙ軸稼動範囲２２光センサー２３LED２４
マイコン２５穴あきx軸ギア２６ギア小２７ポインターバー固定ギア２８穴あきｙ軸ギア２９プレゼンター用の操作画面
３０パーティシペーション用の操作画面３１プレゼンター用スクリーン画面３２パーティシペーション用スクリーン画面
３３ポインターセットマーク３４光ワイヤレス送信モジュールマイク用３５光ワイヤレス受信モジュールマイク用３６光
ワイヤレス送信モジュールマウス用３７光ワイヤレス受信モジュールマウス用３８スピーカー３９レーザーモジュール４０
人差し指用レーザーポインターアーム４１折り畳み稼動部４２ポインターｙ軸稼動軸上部保持部４３ポインターｙ軸稼動
軸下部保持部４４電池４５レーザーポインターアームストッパー４６人差し指用レーザーポインター先端部４７右手４８蓋
【図１】
0003190628.tif 000003
【図２】
0003190628.tif 000004
【図３】
0003190628.tif 000005
【図４】
0003190628.tif 000006
【図５】
0003190628.tif 000007
【図６】
0003190628.tif 000008
【図７】
0003190628.tif 000009
【図８】
0003190628.tif 000010
【手続補正書】
【提出日】平成26年1月11日(2014.1.11)
【手続補正１】
【補正対象書類名】明細書
【補正対象項目名】全文
【補正方法】変更
【補正の内容】
【考案の詳細な説明】
【技術分野】
【０００１】
本考案は、マイクにポインターと、マウス機能を一つにまとめ、これをプログラムによりパソコン側（本体側）のモニターを操作する編集画面に使い、USBディスプレーアダプターを経由してプロジェクターには加工前の資料やライン文字を囲んだりした加工した画像を切り替えて映したり、２台目の上記システムでポインターを所定の位置に人差し指と腕を一直線にあわせ、そこから指の動きとマウスの動きを一時的に合わせることで文字を書くシーンをプロジェクターで一つのスクリーンに資料画像と文字やラインだけの画像を投影して２重に映すことで参加型の機能を持たせることで、利便性を高めたマイクポインターマウスと管理プログラム（プレゼンターマスター）に関するものである。
【背景技術】
【０００２】
最近ではポインターにマウス機能が付いたものが支流だ。
【０００３】
これにマイクが加わることにより、片手で３つ操れたら大変便利で更に他の用途として、カラオケなどでマイクとマウスモードで歌いながら人差し指で文字を書きプロジェクターで壁に投影したりすることで楽しさを演出するなどの多目的用途に適用できないか。
【先行技術文献】
【特許文献】
【０００４】
【特許文献１】なし
【非特許文献】
【０００５】
【非特許文献１】なし
【考案の概要】
【考案が解決しようとする課題】
【０００６】
従来のポインター付マウスではポイントにレーザーを当てた状態でマウスを操作するのはなかなか容易ではないし、他に資料やマイクなども苦労して扱う様子を度々見かけいます。
【課題を解決するための手段】
【０００７】
上記目的を達成するために、請求項１記載の構造は、マイクポインターマウスのマイクの正面に電源・マイク・マウスポインターの切り替えスイッチと、マウスボタンを配置した部分と、左側中央に格納式の人差し指用レーザーポインターアーム４０と先端に人差し指用レーザーポインター先端部４６からなる部分と、人差し指用レーザーポインターアームの付け根のマウスポインター機能として、ポインターｙ軸稼動軸１９下部をポインターｙ軸稼動軸下部保持部４３で回転可能に保持した部分と、上部を回転可能に保持したポインターｙ軸稼動軸上部保持部４２部分と、ポインターｙ軸稼動軸１９下部に穴あきｙ軸ギア２８を設け、LED１６と光センサー２２で挟むように配置した装置で穴あきｙ軸ギア２８の穴の数をカウントする部分と、ポインターｙ軸稼動軸１９の上部先端に穴あきx軸ギアをセットする切れ込みを切削した部分の右側４分の１の位置に人差し指用レーザーポインターアーム４０を固定したポインターバー固定ギア２７を回転可能に接続した部分と、ポインターｙ軸稼動軸１９の上部先端に穴あきx軸ギアをセットする切れ込みを切削した部分の左側半分の位置に回転可能に接続した穴あきx軸ギア２５とポインターバー固定ギア２７に噛み合うようにギア小２６を歯合した部分と、穴あきx軸ギア２５の端の穴に合わせ左先端部にLED１６、右先端部に光センサー２２を設けた部分と、ポインターバー固定ギア２７と人差し指用レーザーポインターアーム４０の付け根付近に本体格納のための折り畳み稼動部４１を設けた部分と、これを使用時に固定するためのレーザーポインターアームストッパー４５を設けた部分と、ポインターx軸稼動軸１８である人差し指用レーザーポインターアーム４０の先端部に外側にレーザーモジュール３９LED１６と、内側の窪んだ部分を設けた人差し指固定口１７からなる人差し指用レーザーポインター先端部４６部分と、管理プログラムからなる。
【０００８】
上記の管理プログラムにはパソコン画面にフォームの下には資料画像とページ数を複数のページまでを表示し、その上右半分が資料画像表示部と、左半分が画像加工部になり、左端のライン・マーカ・文字・消しゴムのアイコンで資料を加工し、拡張モニターへは、USBディスプレーアダプターAを経由して加工画面や資料画面を切り替えてスクリーンに投影したりするプレゼンター用の操作画面と、上記マイクポインターマウスの人差し指用レーザーポインターをスクリーン右端中央の位置に設けたポインターセットマーク３３に目視で人差し指を合わせ、その位置で中指でクリックして、指先のポインターとポインタが一時的に連動してスクリーンとモニターの座標位置同じになり、ドラッグすることで文字やラインの開始位置を決めパソコン側のモニターの操作画面で
文字の色やサイズをラインの太さや長さを決めたあり、マーカの場合はその動きに合わせて手書き画像のみを拡張モニターへ、操作部を除いたモニター部だけがUSB]ディスプレイアダプターを経由してプロジェクターを通し上記プレゼンター用のスクリーン５に二重に映し出されるパーティシペーション用の操作画面からなる。
【考案の効果】
【０００９】
マイク、ポインター、マウスの３つの機能により片手で操作が容易にでき、またプロジェクター、USBディスプレーアダプターと管理プログラムにより参加型の機能性や用途の違った使い方ができ市場も広がった。
【図面の簡単な説明】
【００１０】
【図１】マイクポインターマウスの斜視図
【図２】マイクポインターマウスの６面図
【図３】プレゼンターマスターのシステム接続図
【図４】プレゼンター用とパーティシペーション用と拡張モニター（スクリーン）のフォーム画像略図
【図５】マイク・ポインター・マウスの回路図
【図６】マイクポインターマウスの人差し指ポインターの付け根のマウスセンサー部構造図
【図７】管理プログラムのフローチャート
【図８】マイクポインターマウスのグリップ時の図
【考案を実施するための形態】
【００１１】
図１の概観の一例は、使用時の形状で人差し指用レーザーポインターアーム４０を立てた状態の図である。
【００１２】
図２の操作部の詳細一例は、マイクポインターマウス本体上部にマイク１０を格納し、下部には電池格納部する蓋からなり、右側面はフラットで、左側面には人差し指用レーザーポインターアーム４０を格納している。
【００１３】
図３の各種接続例は、パソコンA１にマウスUSB８とプロジェクターA ３に接続したUSBディスプレーアダプターA７を接続した状態でプレゼンター用もパーティシペーション用どちらも同じ接続である。
【００１４】
図５の回路一例図は、マイクロユニット（マイク）と電源、スイッチを経由して光ワイヤレス送信モジュールマイク用に結線した部分と、
電源、スイッチを経由してレーザーモジュールに結線した部分と、ワンチップマイコン２４にクリックボタンA１２とクリックボタンB１３とマウスポンター１４と穴あきx軸ギア２５にセットされた光センサー２２と穴あきｙ２８セットされた光センサー２２等からなるマウスモジュールに光ワイヤレス送信モジュールマウス用を接続した構造からなる。
【００１５】
図４は格フォームのイメージ図は、下部に資料画像を１０ページほど並べて表示し、選んだ画像を左右２つ表示させ、右側の画像は資料画像で、左側の画像は加工用の画像でフォーム左端にマーカー・ライン・文字・消しゴムのアイコンを並べた配置画面で、左右何れかの画像をUSBディスプレーアダプターA６を経由してスクリーン５に投影したりするプレゼンター用の操作画面２９と、左端にマーカー・ライン・文字・消しゴムのアイコンを並べスクリーン２重投影される合成用のマーカー・ライン・文字のみ画像をフォーム全体に表示し、USBディスプレーアダプターA６を経由して上記プレゼンター用スクリーン５に２重投影したりするパーティシペーション用がある。
【００１６】
図６の人差し指ポインターの付け根のマウスセンサー部構造一例図は、人差し指用レーザーポインターアームの付け根のマウスポインター機能として、ポインターｙ軸稼動軸１９下部をポインターｙ軸稼動軸下部保持部４３で回転可能に保持した部分と、上部を回転可能に保持したポインターｙ軸稼動軸上部保持部４２部分と、ポインターｙ軸稼動軸１９下部に穴あきｙ軸ギア２８を設け、LED１６と光センサー２２で挟むように配置した装置で穴あきｙ軸ギア２８の穴の数をカウントする部分と、ポインターｙ軸稼動軸１９の上部先端に穴あきx軸ギアをセットする切れ込みを切削した部分の右側４分の１の位置に人差し指用レーザーポインターアーム４０を固定したポインターバー固定ギア２７を回転可能に接続し、縦に反対側のポインターｙ軸稼動軸１９の上部先端に穴あきx軸ギアをセットする切れ込みを切削した部分の左側半分の位置に回転可能に接続した穴あきx軸ギア２５とポインターバー固定ギア２７にか似合うようにギア小２６を接続し、横に反対側の穴あきx軸ギア２５の端の穴に合わせ左先端部にLED１６、右先端部に光センサー２２を設けた部分と、ポインターバー固定ギア２７と人差し指用レーザーポインターアーム４０の付け根付近に本体格納のための折り畳み稼動部４１を設けた部分と、これを使用時に固定するためのレーザーポインターアームストッパー４５を設け、ポインターx軸稼動軸１８である人差し指用レーザーポインターアーム４０の先端部に外側にレーザーモジュール３９LED１６と、内側の窪んだ部分を設けた人差し指固定口１７からなる人差し指用レーザーポインター先端部４６部分からなる構造。
【００１７】
図７のフローチャート一例は、まずスタートから予め準備した資料ページ数読み込みプレゼンター用の操作画面２９とパーティシペーション用の操作画面３０選択のフォーム表示し、プレゼンター用フォーム表示の場合はフォーム表示下部より選択して左右同じ画面を表示し、右画像をスクリーンに表示し、左画像をマーカーで加工か、左画像に文字入力か、左画像に消しゴムで加工か、左画像にライン入力かにより加工処理した後、切り替えスクリーンに出力し、上記を繰り返すか作業終了時には終了処理、またパーティシペーション用フォーム表示の場合は、ポインターセットマーク表示し、一時的にスクリーンに当てたポインターのレーザーとパソコンのモニターの座標の位置を合わせて座標表示し、スクリーンにマーカー画像を表示か、スクリーンに文字のみ画像を表示か、スクリーンにラインのみ画像を表示か、画像をクリーン画像を表示かを切り替えスクリーンに出力し、上記を繰り返すか
作業終了時には終了処理
【００１８】
図８のグリップ時の図の一例は、  マイク１０部を上にして、掌にマイクポインターマウス本体９の背面部を置き、
右手親指にクリックボタンB１３付近に置き、人差し指固定口１７に人差し指の先端で保持し、残りの中指・薬指・小指でで本体下部を保持して使うもので、上記システムでポインターを所定の位置に人差し指と腕を一直線にであわせ、そこから指の動きとマウスの動きを一時的に合わせることで文字を書くシーンをプロジェクターで一つのスクリーンに資料画像と文字やラインだけの画像を投影して２重に映すことで参加型の機能を持たせる。
【産業上の利用可能性】
【００１９】
本発明に係るマイクポインターマウスと管理プログラム（プレゼンターマスター）は、会議などのプレゼンだけでなくカラオケなどでの楽しい演出などにも幅広く適用な可能性を有する。
【符号の説明】
【００２０】
１パソコンA２パソコンB３プロジェクターA４プロジェクターB５スクリーン６USBディスプレーアダプターA７USB
ディスプレーアダプターB８マウスUSB９マイクポインターマウス本体１０マイク（マイクロユニット）１１切り替えスイッチ１２クリック
ボタンA１３クリックボタンB１４マウスポンター１５ポインターバー１６LED１７人差し指固定口１８ポインターx軸
稼動軸１９ポインターｙ軸稼動軸２０ポインターx軸稼動範囲２１ポインターｙ軸稼動範囲２２光センサー２３LED２４
マイコン２５穴あきx軸ギア２６ギア小２７ポインターバー固定ギア２８穴あきｙ軸ギア２９プレゼンター用の操作画面
３０パーティシペーション用の操作画面３１プレゼンター用スクリーン画面３２パーティシペーション用スクリーン画面
３３ポインターセットマーク３４光ワイヤレス送信モジュールマイク用３５光ワイヤレス受信モジュールマイク用３６光
ワイヤレス送信モジュールマウス用３７光ワイヤレス受信モジュールマウス用３８スピーカー３９レーザーモジュール４０
人差し指用レーザーポインターアーム４１折り畳み稼動部４２ポインターｙ軸稼動軸上部保持部４３ポインターｙ軸稼動
軸下部保持部４４電池４５レーザーポインターアームストッパー４６人差し指用レーザーポインター先端部４７右手４８蓋
【手続補正書】
【提出日】平成26年3月3日(2014.3.3)
【手続補正１】
【補正対象書類名】明細書
【補正対象項目名】全文
【補正方法】変更
【補正の内容】
【考案の詳細な説明】
【技術分野】
【０００１】
本考案は、マイクにポインターと、マウス機能を一つにまとめ、これをプログラムによりパソコン側（本体側）のモニターを操作する編集画面に使い、USBディスプレーアダプターを経由してプロジェクターには加工前の資料やライン文字を囲んだりした加工した画像を切り替えて映したり、２台目の上記システムでポインターを所定の位置に人差し指と腕を一直線にあわせ、そこから指の動きとマウスの動きを一時的に合わせることで文字を書くシーンをプロジェクターで一つのスクリーンに資料画像と文字やラインだけの画像を投影して２重に映すことで参加型の機能を持たせることで、利便性を高めたマイクポインターマウスと管理プログラム（プレゼンターマスター）に関するものである。
【背景技術】
【０００２】
最近ではポインターにマウス機能が付いたものが支流だ。
【０００３】
これにマイクが加わることにより、片手で３つ操れたら大変便利で更に他の用途として、カラオケなどでマイクとマウスモードで歌いながら人差し指で文字を書きプロジェクターで壁に投影したりすることで楽しさを演出するなどの多目的用途に適用できないか。
【先行技術文献】
【特許文献】
【０００４】
【特許文献１】なし
【非特許文献】
【０００５】
【非特許文献１】なし
【考案の概要】
【考案が解決しようとする課題】
【０００６】
従来のポインター付マウスではポイントにレーザーを当てた状態でマウスを操作するのはなかなか容易ではないし、他に資料やマイクなども苦労して扱う様子を度々見かけいます。
【課題を解決するための手段】
【０００７】
上記目的を達成するために、請求項１記載の構造は、マイクポインターマウスのマイクの正面に電源・マイク・マウスポインターの切り替えスイッチと、マウスボタンを配置した部分と、左側中央に格納式の人差し指用レーザーポインターアーム（４０）と先端に人差し指用レーザーポインター先端部（４６）からなる部分と、人差し指用レーザーポインターアームの付け根のマウスポインター機能として、ポインターｙ軸稼動軸（１９）下部をポインターｙ軸稼動軸下部保持部（４３）で回転可能に保持した部分と、上部を回転可能に保持したポインターｙ軸稼動軸上部保持部（４２）部分と、ポインターｙ軸稼動軸（１９）下部に穴あきｙ軸ギア（２８）を設け、LED（１６）と光センサー（２２）で挟むように配置した装置で穴あきｙ軸ギア（２８）の穴の数をカウントする部分と、ポインターｙ軸稼動軸（１９）の上部先端に穴あきx軸ギアをセットする切れ込みを切削した部分の右側４分の１の位置に人差し指用レーザーポインターアーム（４０）を固定したポインターバー固定ギア（２７）を回転可能に接続した部分と、ポインターｙ軸稼動軸（１９）の上部先端に穴あきx軸ギアをセットする切れ込みを切削した部分の左側半分の位置に回転可能に接続した穴あきx軸ギア（２５）とポインターバー固定ギア（２７）に噛み合うようにギア小（２６）を歯合した部分と、穴あきx軸ギア（２５）の端の穴に合わせ左先端部にLED（１６）、右先端部に光センサー（２２）を設けた部分と、ポインターバー固定ギア（２７）と人差し指用レーザーポインターアーム（４０）の付け根付近に本体格納のための折り畳み稼動部（４１）を設けた部分と、これを使用時に固定するためのレーザーポインターアームストッパー（４５）を設けた部分と、ポインターx軸稼動軸（１８）である人差し指用レーザーポインターアーム（４０）の先端部に外側にレーザーモジュール（３９）LED（１６）と、内側の窪んだ部分を設けた人差し指固定口（１７）からなる人差し指用レーザーポインター先端部（４６）部分と、管理プログラムからなる。
【０００８】
上記の管理プログラムにはパソコン画面にフォームの下には資料画像とページ数を複数のページまでを表示し、その上右半分が資料画像表示部と、左半分が画像加工部になり、左端のライン・マーカ・文字・消しゴムのアイコンで資料を加工し、拡張モニターへは、USBディスプレーアダプターAを経由して加工画面や資料画面を切り替えてスクリーンに投影したりするプレゼンター用の操作画面と、上記マイクポインターマウスの人差し指用レーザーポインターをスクリーン右端中央の位置に設けたポインターセットマーク３３に目視で人差し指を合わせ、その位置で中指でクリックして、指先のポインターとポインタが一時的に連動してスクリーンとモニターの座標位置同じになり、ドラッグすることで文字やラインの開始位置を決めパソコン側のモニターの操作画面で
文字の色やサイズをラインの太さや長さを決めたあり、マーカの場合はその動きに合わせて手書き画像のみを拡張モニターへ、操作部を除いたモニター部だけがUSB]ディスプレイアダプターを経由してプロジェクターを通し上記プレゼンター用のスクリーン５に二重に映し出されるパーティシペーション用の操作画面からなる。
【考案の効果】
【０００９】
マイク、ポインター、マウスの３つの機能により片手で操作が容易にでき、またプロジェクター、USBディスプレーアダプターと管理プログラムにより参加型の機能性や用途の違った使い方ができ市場も広がった。
【図面の簡単な説明】
【００１０】
【図１】マイクポインターマウスの斜視図
【図２】マイクポインターマウスの６面図
【図３】プレゼンターマスターのシステム接続図
【図４】プレゼンター用とパーティシペーション用と拡張モニター（スクリーン）のフォーム画像略図
【図５】マイク・ポインター・マウスの回路図
【図６】マイクポインターマウスの人差し指ポインターの付け根のマウスセンサー部構造図
【図７】管理プログラムのフローチャート
【図８】マイクポインターマウスのグリップ時の図
【考案を実施するための形態】
【００１１】
図１の概観の一例は、使用時の形状で人差し指用レーザーポインターアーム（４０）を立てた状態の図である。
【００１２】
図２の操作部の詳細一例は、マイクポインターマウス本体上部にマイク（１０）を格納し、下部には電池格納部する蓋からなり、右側面はフラットで、左側面には人差し指用レーザーポインターアーム（４０）を格納している。
【００１３】
図３の各種接続例は、パソコンA（１）にマウスUSB（８）とプロジェクターA （３）に接続したUSBディスプレーアダプターA（７）を接続した状態でプレゼンター用もパーティシペーション用どちらも同じ接続である。
【００１４】
図５の回路一例図は、マイクロユニット（マイク）と電源、スイッチを経由して光ワイヤレス送信モジュールマイク用に結線した部分と、
電源、スイッチを経由してレーザーモジュールに結線した部分と、ワンチップマイコン（２４）にクリックボタンA（１２）とクリックボタンB（１３）とマウスポンター（１４）と穴あきx軸ギア（２５）にセットされた光センサー（２２）と穴あきｙ（２８）セットされた光センサー（２２）等からなるマウスモジュールに光ワイヤレス送信モジュールマウス用を接続した構造からなる。
【００１５】
図４は格フォームのイメージ図は、下部に資料画像を１０ページほど並べて表示し、選んだ画像を左右２つ表示させ、右側の画像は資料画像で、左側の画像は加工用の画像でフォーム左端にマーカー・ライン・文字・消しゴムのアイコンを並べた配置画面で、左右何れかの画像をUSBディスプレーアダプターA（６）を経由してスクリーン（５）に投影したりするプレゼンター用の操作画面（２９）と、左端にマーカー・ライン・文字・消しゴムのアイコンを並べスクリーン（２）重投影される合成用のマーカー・ライン・文字のみ画像をフォーム全体に表示し、USBディスプレーアダプターA（６）を経由して上記プレゼンター用スクリーン（５）に２重投影したりするパーティシペーション用がある。
【００１６】
図６の人差し指ポインターの付け根のマウスセンサー部構造一例図は、人差し指用レーザーポインターアームの付け根のマウスポインター機能として、ポインターｙ軸稼動軸（１９）下部をポインターｙ軸稼動軸下部保持部（４３）で回転可能に保持した部分と、上部を回転可能に保持したポインターｙ軸稼動軸上部保持部（４２）部分と、ポインターｙ軸稼動軸（１９）下部に穴あきｙ軸ギア（２８）を設け、LED（１６）と光センサー（２２）で挟むように配置した装置で穴あきｙ軸ギア（２８）の穴の数をカウントする部分と、ポインターｙ軸稼動軸（１９）の上部先端に穴あきx軸ギアをセットする切れ込みを切削した部分の右側４分の１の位置に人差し指用レーザーポインターアーム（４０）を固定したポインターバー固定ギア（２７）を回転可能に接続し、縦に反対側のポインターｙ軸稼動軸（１９）の上部先端に穴あきx軸ギアをセットする切れ込みを切削した部分の左側半分の位置に回転可能に接続した穴あきx軸ギア（２５）とポインターバー固定ギア（２７）にか似合うようにギア小（２６）を接続し、横に反対側の穴あきx軸ギア（２５）の端の穴に合わせ左先端部にLED（１６）、右先端部に光センサー（２２）を設けた部分と、ポインターバー固定ギア（２７）と人差し指用レーザーポインターアーム（４０）の付け根付近に本体格納のための折り畳み稼動部（４１）を設けた部分と、これを使用時に固定するためのレーザーポインターアームストッパー（４５）を設け、ポインターx軸稼動軸（１８）である人差し指用レーザーポインターアーム（４０）の先端部に外側にレーザーモジュール（３９）LED（１６）と、内側の窪んだ部分を設けた人差し指固定口（１７）からなる人差し指用レーザーポインター先端部（４６）部分からなる構造。
【００１７】
図７のフローチャート一例は、まずスタートから予め準備した資料ページ数読み込みプレゼンター用の操作画面（２９）とパーティシペーション用の操作画面（３０）選択のフォーム表示し、プレゼンター用フォーム表示の場合はフォーム表示下部より選択して左右同じ画面を表示し、右画像をスクリーンに表示し、左画像をマーカーで加工か、左画像に文字入力か、左画像に消しゴムで加工か、左画像にライン入力かにより加工処理した後、切り替えスクリーンに出力し、上記を繰り返すか作業終了時には終了処理、またパーティシペーション用フォーム表示の場合は、ポインターセットマーク表示し、一時的にスクリーンに当てたポインターのレーザーとパソコンのモニターの座標の位置を合わせて座標表示し、スクリーンにマーカー画像を表示か、スクリーンに文字のみ画像を表示か、スクリーンにラインのみ画像を表示か、画像をクリーン画像を表示かを切り替えスクリーンに出力し、上記を繰り返すか
作業終了時には終了処理
【００１８】
図８のグリップ時の図の一例は、  マイク（１０）部を上にして、掌にマイクポインターマウス本体（９）の背面部を置き、
右手親指にクリックボタンB（１３）付近に置き、人差し指固定口（１７）に人差し指の先端で保持し、残りの中指・薬指・小指でで本体下部を保持して使うもので、上記システムでポインターを所定の位置に人差し指と腕を一直線にであわせ、そこから指の動きとマウスの動きを一時的に合わせることで文字を書くシーンをプロジェクターで一つのスクリーンに資料画像と文字やラインだけの画像を投影して２重に映すことで参加型の機能を持たせる。
【産業上の利用可能性】
【００１９】
本発明に係るマイクポインターマウスと管理プログラム（プレゼンターマスター）は、会議などのプレゼンだけでなくカラオケなどでの楽しい演出などにも幅広く適用な可能性を有する。
【符号の説明】
【００２０】
１パソコンA２パソコンB３プロジェクターA４プロジェクターB５スクリーン６USBディスプレーアダプターA７USB
ディスプレーアダプターB８マウスUSB９マイクポインターマウス本体１０マイク（マイクロユニット）１１切り替えスイッチ１２クリック
ボタンA１３クリックボタンB１４マウスポンター１５ポインターバー１６LED１７人差し指固定口１８ポインターx軸
稼動軸１９ポインターｙ軸稼動軸２０ポインターx軸稼動範囲２１ポインターｙ軸稼動範囲２２光センサー２３LED２４
マイコン２５穴あきx軸ギア２６ギア小２７ポインターバー固定ギア２８穴あきｙ軸ギア２９プレゼンター用の操作画面
３０パーティシペーション用の操作画面３１プレゼンター用スクリーン画面３２パーティシペーション用スクリーン画面
３３ポインターセットマーク３４光ワイヤレス送信モジュールマイク用３５光ワイヤレス受信モジュールマイク用３６光
ワイヤレス送信モジュールマウス用３７光ワイヤレス受信モジュールマウス用３８スピーカー３９レーザーモジュール４０
人差し指用レーザーポインターアーム４１折り畳み稼動部４２ポインターｙ軸稼動軸上部保持部４３ポインターｙ軸稼動
軸下部保持部４４電池４５レーザーポインターアームストッパー４６人差し指用レーザーポインター先端部４７右手４８蓋
【手続補正２】
【補正対象書類名】実用新案登録請求の範囲
【補正対象項目名】全文
【補正方法】変更
【補正の内容】
【実用新案登録請求の範囲】
【請求項１】
マイクポインターマウスは、マイクの正面に電源・マイク・マウスポインターの切り替えスイッチと、
マウスボタンを配置した部分と、左側中央に格納式の人差し指用レーザーポインターアーム（４０）と先端に人差し指用レーザー
ポインター先端部（４６）からなる部分と、人差し指用レーザーポインターアームの付け根のマウスポインター機能として、
ポインターｙ軸稼動軸（１９）下部をポインターｙ軸稼動軸下部保持部（４３）で回転可能に保持した部分と、上部を回転可能に保持した
ポインターｙ軸稼動軸上部保持部（４２）部分と、ポインターｙ軸稼動軸（１９）下部に穴あきｙ軸ギア（２８）を設け、LED（１６）と光
センサー（２２）で挟むように配置した装置で穴あきｙ軸ギア（２８）の穴の数をカウントする部分と、ポインターｙ軸稼動軸（１９）の上部
先端に穴あきx軸ギアをセットする切れ込みを切削した部分の右側４分の１の位置に人差し指用レーザーポインターアーム（４０）
を固定したポインターバー固定ギア（２７）を回転可能に接続した部分と、ポインターｙ軸稼動軸（１９）の上部先端に穴あきx軸ギア
をセットする切れ込みを切削した部分の左側半分の位置に回転可能に接続した穴あきx軸ギア（２５）とポインターバー固定ギア（２７）
に噛み合うようにギア小（２６）を歯合した部分と、穴あきx軸ギア（２５）の端の穴に合わせ左先端部にLED（１６）、右先端部に光
センサー（２２）を設けた部分と、ポインターバー固定ギア（２７）と人差し指用レーザーポインターアーム（４０）の付け根付近に本体
格納のための折り畳み稼動部（４１）を設けた部分と、これを使用時に固定するためのレーザーポインターアームストッパー（４５）を
設けた部分と、ポインターx軸稼動軸（１８）である人差し指用レーザーポインターアーム（４０）の先端部に外側にレーザーモジュール
（３９）LED（１６）と、内側の窪んだ部分を設けた人差し指固定口（１７）からなる人差し指用レーザーポインター先端部（４６）部分と、
管理プログラム、これらすべてを有するマイクポインターマウス